(57)【要約】      （修正有）【課題】高力率で、且つ始動性が良いハーフブリッジ形のインバータ回路を運用する蛍光灯点灯回路を提供する。【解決手段】蛍光灯回路３０を介して第一スイッチング素子１１と並列に接続する第一コンデンサ４０を備える。前記蛍光灯回路３０を介して第二スイッチング素子１２と並列に接続する第二コンデンサ５０を備える。前記第二スイッチング素子１２と前記第二コンデンサ５０との間に挿置する補助インダクタ６０を備える。整流電源７０を備える。前記整流電源７０は交流電源７１電圧を整流する回路である。前記整流電源７０によって前記補助インダクタ６０を介して充電する第三コンデンサ８０を備える。前記第三コンデンサ８０の電圧を前記第一スイッチング素子１１・第二スイッチング素子１２を跨ぐ位置にこれらの素子に対する順極性電圧となるように印加する補助ダイオード９０を備える。【選択図】      図１
2004165108.tif 000002
【特許請求の範囲】
【請求項１】
交互に導通する順直列一対の第一スイッチング素子・第二スイッチング素子を備え、前記第一スイッチング素子と逆並列の第一フライホイールダイオードを備え、前記第二スイッチング素子と逆並列の第二フライホイールダイオードを備え、蛍光灯回路を備え、前記蛍光灯回路は蛍光ランプと前記蛍光ランプに直列のバラスト用インダクタと前記蛍光ランプに並列の予熱用コンデンサを含む回路であり、前記蛍光灯回路を介して前記第一スイッチング素子と並列に接続する第一コンデンサを備え、前記蛍光灯を介して前記第二スイッチング素子と並列に接続する第二コンデンサを備え、前記第二スイッチング素子と前記第二コンデンサとの間に挿置する補助インダクタを備え、整流電源を備え、前記整流電源は交流電源電圧を整流する回路であり、前記整流電源によって前記補助インダクタを介して充電する第三コンデンサを備え、前記第三コンデンサの電圧を前記第一スイッチング素子・第二スイッチング素子を跨ぐ位置にこれらの素子に対する順極性電圧となるように印加する補助ダイオードを備えたことを特徴とする蛍光灯点灯装置。
【発明の詳細な説明】
【０００１】
【発明の属する技術分野】
本発明は、整流平滑形電源回路の出力電圧でハーフブリッジ形のインバータ回路を運用する蛍光灯点灯装置に関するものである。
【０００２】
【従来の技術】
【０００３】
【発明が解決しようとする課題】
従来のハーフブリッジ形のインバータ回路を運用する蛍光灯点灯回路においては、図６に示すようにＪ順直列一対の交互に導通する順直列一対の第一スイッチング素子１１・第二スイッチング素子１２を備え、前記第一スイッチング素子１１と逆並列の第一フライホイールダイオード２１を備え、前記第二スイッチング素子１２と逆並列の第二フライホイールダイオード２２を備え、蛍光灯回路３０を備え、前記蛍光灯回路３０は蛍光ランプ３１と前記蛍光ランプ３１に直列のバラスト用インダクタ３２と前記蛍光ランプ３１に並列の予熱用コンデンサ３３を含む回路であり、力率を高めるために前記放電灯回路３０を介して前記第一スイッチング素子１１と並列に接続する容量大の第一コンデンサ４０を備え、前記放電灯回路３０を介して前記第二スイッチング素子１２と並列に接続する容量小の第二コンデンサ５０を備えて整流電源７０を備え、前記整流電源７０は交流電源７１電圧を整流する回路である。この回路方式では、力率を高めるため、第二コンデンサ５０の電圧の反転を利用しているので、前記の通り第二コンデンサ５０の容量は小さくなければならず、その結果、容量大の第一コンデンサ４０の初期充電が十分行えないので蛍光灯回路３０の始動性が悪いという問題があつた。
【０００４】
【課題を解決するための手段】
本発明の目的は、高力率で、且つ始動性が良いハーフブリッジ形のインバータ回路を運用する蛍光灯点灯回路を提供することにある。
【課題を解決するための手段】
本発明は、第二スイッチング素子と第二コンデンサとの間に挿置する補助インダクタを備え、交流電源電圧の整流電源によって補助インダクタを介して充電する第三コンデンサを備え、前記第三コンデンサの電圧を前記第一スイッチング素子・第二スイッチング素子を跨ぐ位置にこれらの素子に対する順極性電圧となるように印加する補助ダイオードを備えたものである。
【０００５】
【発明の実施の形態】
図１〜図５を利用して本発明の実施形態について説明する。本発明に係る図１の蛍光灯点灯回路は、交互に導通する順直列−対の第一スイッチング素子１１・第二スイッチング素子１２を備え、前記第一スイッチング素子１１と逆並列の第一フライホイールダイオード２１を備え、前記第二スイッチング素子１２と逆並列の第二フライホイールダイオード２２を備え、蛍光灯回路３０を備え、前記蛍光灯回路３０は蛍光ランプ３１と前記蛍光ランプ３１に直列のバラスト用インダクタ３２と前記蛍光ランプ３１に並列の予熱用コンデンサ３３を含む回路であり、前記放電灯回路３０を介して前記第一スイッチング素子１１と並列に接続する容量大の第一コンデンサ４０を備え、前記放電灯回路３０を介して前記第二スイッチング素子１２と並列に接続する容量中の第二コンデンサ５０を備え、前記第二スイッチング素子１２と前記第二コンデンサ５０との間に挿置する補助インダクタ６０を備え、整流電源７０を備え、前記整流電源７０は交流電源７１電圧を整流する回路であり、前記整流電源７０によって前記補助インダクタ６０を介して充電する容量小の第三コンデンサ８０を備え、別記第三コンデンサ８０の電圧を前記第一スイッチング素子１１・第二スイッチング素子１２を跨ぐ位置にこれらの素子１１・１２に対する順極性電圧となるように印加する補助ダイオード９０を備えている。
【０００６】
以下、本発明による回路の動作について説明する。第二スイッチング素子１２がターンオンすると、図２に示す通り、第三コンデンサ８０の電荷は補助ダイオード９０、第一コンデンサ４０、放電灯回路３０、第二スイッチング素子１２を介して、第二コンデンサ５０の電荷は放電灯回路３０、第二スイッチング素子１２、補助インダクタ６０を介して放電される。第二スイッチング素子１２がターンオフすると、図３の通りバラスト用インダクタ３２の電磁エネルギーにより放電灯回路３０、第一フライホイールダイオード２１を介して第一コンデンサ４０が充電され、一方で補助インダクタ６０の電磁エネルギーにより整流電源７０の給電を助成しながら第三コンデンサ８０を充電する。次に第一スイッチング素子１１がターンオンすると、図４に示す通り、第一コンデンサ４０の電荷が第一スイッチング素子１１、放電灯回路３０を介して放電され、続いて第一スイッチング素子１１がターンオフすると、図５に示す通りバラスト用インダクタ３２により、整流電源７０の給電を助成しながら第二フライホイールダイオード２２、放電灯回路３０を介して第二コンデンサ５０及び第二コンデンサ８０を充電する。この後、再び図２のように第二スイッチング素子１２がターンオンし、回路動作は繰り返される。
【０００７】
以上のように、交流電源７１電圧を整流した整流電源７０は、第一コンデンサ４０放電後はバラスト用インダクタ３２に、第二コンデンサ５０放電後は補助インダクタ６０によりそれぞれ給電が助成されるので、整流電源７０は給電機会に恵まれ，高力率を保つことができる。また、整流電源７０の給電の助成にインダクタを利用しているので、必ずしも第二コンデンサ５０の容量を小さくする必要が無く、第一コンデンサ４０の初期充電も十分行われるため放電灯回路３０の始動性が悪化することがない。
【０００８】
【発明の効果】
本発明によれば、整流電源は、第一コンデンサ放電後はバラスト用インダクタに、第二コンデンサ放電後は補助インダクタによりそれぞれ給電が助成されるので、蛍光灯回路の良好な始動性を確保しつつ、整流電源は給電機会に恵まれ、蛍光灯点灯回路は高力率を保つ。
【図面の簡単な説明】
【図１】本発明に係る蛍光灯点灯装置の回路図である。
【図２】本発明に係る蛍光灯点灯装置の動作を示す回路図である。
【図３】本発明に係る蛍光灯点灯装置の動作を示す回路図である。
【図４】本発明に係る蛍光灯点灯装置の動作を示す回路図である。
【図５】本発明に係る蛍光灯点灯装置の動作を示す回路図である。
【図６】従来例を示す回路図である。
【符号の説明】
１１・１２：スイッチング素子、２１・２２：フライホイールダイオード、３０：蛍光灯回路、３１：蛍光ランプ、３２：バラスト用インダクタ、３３：予熱用コンデンサ、４０：第一コンデンサ、５０：第二コンデンサ、６０：補助インダクタ、７０：整流電源、７１：交流電源、８０：第三コンデンサ、９０：補助ダイオード
【図１】
2004165108.tif 000003
【図２】
2004165108.tif 000004
【図３】
2004165108.tif 000005
【図４】
2004165108.tif 000006
【図５】
2004165108.tif 000007
【図６】
2004165108.tif 000008